(57)【要約】【課題】機材設備やメンテナンスが不要であり、適時必要な情報を簡単かつ安価に取得できるクリップを提供する。【解決手段】板体をＵ字状に折り曲げてシート状物を挿脱自在に把持する開口が設けられた一対の把持部１８と、当該一対の把持部を連結する支持部２０とを備えている。一対の把持部１８又は支持部２０に、固定具３２を挿入する挿入孔２４を設けた。把持部の開口を上向きに取り付けることによって、把持部の開口が上部と側部が開いているので、情報を表示したシート状物を把持部に差し込むときに、広い範囲から、すなわち、真上方向からだけでなく、側方や斜め上方向からも自由に差し込むことができる。【選択図】図１
0003122741.tif 000002
【実用新案登録請求の範囲】
【請求項１】
板体をＵ字状に折り曲げてシート状物を挿脱自在に把持する開口が設けられた一対の把持部と、
当該一対の把持部を連結する支持部とを備え、
前記一対の把持部又は前記支持部に、固定具を挿入する挿入孔を設けたことを特徴とするクリップ。
【請求項２】
請求項１に記載のクリップにおいて、
前記一対の把持部及び支持部は、前記支持部の両肩に、前記一対の把持部を配置した形のＴ字状とされ、
前記固定具を挿入する挿入孔は、前記把持部の底部より下位の前記支持部に設けられていることを特徴とするクリップ。
【請求項３】
請求項１に記載のクリップにおいて、
前記固定具を挿入する挿入孔は、前記把持部における二重対向部分にそれぞれ対向して設けられていることを特徴とするクリップ。
【請求項４】
請求項１〜３のいずれかに記載のクリップにおいて、
前記把持部の開口は、その縁部が屈曲されて拡開していることを特徴とするクリップ。
【請求項５】
請求項１〜４のいずれかに記載のクリップにおいて、
前記把持部に、一定大きさで、透明あるいは半透明のホルダを嵌入したことを特徴とするクリップ。
【考案の詳細な説明】
【技術分野】
【０００１】
本考案は、例えば荷物運搬用パレットに取り付けられて使用されるのに好適なクリップに関する。
【背景技術】
【０００２】
荷物運搬等で使用されるパレットは、フォークリフトによる搬送の容易化のために、流通対象となる荷物と一緒にパレットも搬入、搬出されることがある。このような場合、パレット上の荷物を簡単に見分けられるようにすることが望ましい。
【０００３】
パレット上の荷物を見分ける方法としては、従来、パレットにＩＣタグを取り付け、そのＩＣタグ内に情報を読み取り／書き換えする方法がある（特許文献１参照）。あるいは、ＩＣタグの代わりにバーコードを利用する方法がある。
【特許文献１】特開２００５−３１６８３８号公報
【考案の開示】
【考案が解決しようとする課題】
【０００４】
ここで、従来の技術には、次のような解決すべき課題があった。
パレットにＩＣタグやバーコードを取り付けてそれを利用する方法は、パレットに取り付けられたＩＣタグやバーコード内の情報の読み取り／書き換えを行うための機材設備が必要であり、しかも、使用期間中、電気的あるいは人的なメンテナンスも余分に必要になる。そのために膨大な費用がかかる。
【０００５】
本考案は以上の点に着目してなされたもので、機材設備やメンテナンスが不要であり、適時必要な情報を簡単かつ安価に取得できるクリップを提供することを目的とする。
【課題を解決するための手段】
【０００６】
本考案の各実施例においては、それぞれ次のような構成により上記の課題を解決する。
〈構成１〉
板体をＵ字状に折り曲げてシート状物を挿脱自在に把持する開口が設けられた一対の把持部と、当該一対の把持部を連結する支持部とを備え、上記一対の把持部又は上記支持部に、固定具を挿入する挿入孔を設けたことを特徴とするクリップ。
【０００７】
把持部の開口を上向きに取り付けることによって、把持部の開口が上部と側部が開いているので、情報を表示したシート状物を把持部に差し込むときに、広い範囲から、すなわち、真上方向からだけでなく、側方や斜め上方向からも自由に差し込むことができる。
例えば、荷物を載置したパレットを棚等に収納した倉庫内において、パレットの側面にクリップを取り付けておけば、パレットの荷物の情報を表示したシート状物をクリップに差し込んでおくだけで、機材設備や電気的あるいは人的なメンテナンスが必要なく、適時必要な荷物情報を簡単かつ安価に取得できる。
【０００８】
〈構成２〉
構成１に記載のクリップにおいて、上記一対の把持部及び支持部は、上記支持部の両肩に、上記一対の把持部を配置した形のＴ字状とされ、上記固定具を挿入する挿入孔は、上記把持部の底部より下位の上記支持部に設けられていることを特徴とするクリップ。
【０００９】
一対の把持部と支持部とがＴ字状とされていることにより、安定した状態で取り付けることができる。挿入孔が、把持部の底部より下位に設けられていることにより、情報を表示したシート状物を把持部に差し込んだときに、同シート状物が固定具に引っかかることがない。
【００１０】
〈構成３〉
構成１に記載のクリップにおいて、上記固定具を挿入する挿入孔は、上記把持部における二重対向部分にそれぞれ対向して設けられていることを特徴とするクリップ。
【００１１】
クリップを正面からみて、手前側の挿入孔は固定具の頭部外径より大きい口径とされている。奥側の挿入孔は固定具の頭部の最大外径部分を没入させる皿型とされ、把持部内に固定具が突出しないようにされている。情報を表示したシート状物を把持部に差し込んだときに、同シート状物が固定具に引っかかることがない。
【００１２】
〈構成４〉
構成１〜３のいずれかに記載のクリップにおいて、上記把持部の開口は、その縁部が屈曲されて拡開していることを特徴とするクリップ。
【００１３】
把持部の開口が拡開していることにより、シート状物を開口に差し込み易い。
【００１４】
〈構成５〉
構成１〜４のいずれかに記載のクリップにおいて、上記把持部に、一定大きさで、透明あるいは半透明のホルダを嵌入したことを特徴とするクリップ。
【００１５】
ホルダにシート状物を挟持することにより、例えば、倉庫の棚に多数配置されたパレットに取り付けられるシート状物の大きさが不揃いであっても、各シート状物が、各クリップに整然と並べられた一定大きさのホルダ内に収納されるから、倉庫の棚の全体の美観を損ねないという効果が得られる。
【考案を実施するための最良の形態】
【００１６】
以下、本考案の実施の形態を実施例により説明する。
【実施例１】
【００１７】
図１は実施例１のクリップを示す斜視図、図２は同実施例のクリップの使用状態を示す斜視図、図３は同クリップの使用説明図、図４は同クリップの把持部の説明図である。
【００１８】
図１に示すように、本考案のクリップ１６は、鉄製あるいはプラスチック製の板体をＵ字状に折り曲げてなる開口２２を有する横長の把持部１８と、この把持部１８に連結された縦長の支持部２０とを備え、支持部２０の両肩に、一対の把持部１８を対称的に配置した形のＴ字状とされている。把持部１８の開口２２は上部と側部が開いている。支持部２０にはパレット１２の側面に固定する釘等の固定具を挿入する挿入孔２４が上、下２箇所に設けられている。２箇所のうち、上位の挿入孔２４は、把持部１８の底部１８Ａより下位に設けられている。図示しないが、後述する、情報を表示したシート状物を、一対の把持部１８間に跨って差し込んだときに、同シート状物の下縁部が固定具に引っかからないようにしている。
【００１９】
図２はクリップ１６を荷物運搬用のパレットに取り付けて使用する状態を示している。
図２において、平面四角形状のパレット１２の側面に、フォークリフトの爪を差し込むためのフォーク差込口１４が設けられている。パレット１２の側面の中央部に、Ｔ字状のクリップ１６が釘等の固定具により固着されている。
【００２０】
クリップ１６は、パレット１２の上面及び底面に突き出ない大きさである。すなわち、パレット１２の側面の高さ内に収まる大きさである。例えば、側面の高さが１００ｍｍのパレット１２に対するクリップ１６の寸法は、図１に示すように、支持部２０を含む把持部１８の最大横幅Ａが２００ｍｍ程度、把持部１８の高さＢが２０〜３０ｍｍ、支持部２０の高さＣが９０〜１００ｍｍ、支持部２０の横幅Ｄが４０〜５０ｍｍであることがバランス上、好適である。
【００２１】
図３はクリップ１６の使用状態の説明図である。
図に示すように、把持部１８の開口２２にはシート状物２５が挿脱自在に差し込まれて把持される。開口２２が上部と側部が開いているので、シート状物２５を真上からだけでなく、側方や斜め上方向からも自由に差し込むことができる。すなわち、シート状物２５の挿脱がきわめて容易である。把持部１８は、開口２２から挿入されたシート状物２５が通常の風力で飛ばされない程度に、シート状物２５を軽く挟み付ける弾性を備えていることが望ましい。シート状物２５は、Ｂ５サイズ、Ａ４サイズ等の普通紙、はがき大の紙カード、その他メモ用紙等に、パレットに載置されている荷物の名称、行き先、種類、数量、パレットを識別する情報等の必要な荷物情報を表示したものである。
【００２２】
把持部１８の開口２２は、シート状物をさらに差し込み易くするために、図４に示すように、その一縁部が側方に屈曲されて拡開されてもよい。すなわち、図４（ａ）に示すように、開口２２の一縁部１８Ａが折り曲げ線１８Ｂに沿ってく字状に屈曲されている。
あるいは、図４（ｂ）に示すように、把持部１８を正面からみて、把持部１８における二重対向部分の、手前側の一縁部１８Ｃを、奥側の一縁部１８Ｄより適当な間隔Ｈで下位になるようにされてもよい。このようにすれば、シート状物を開口２２から差し込む際に、シート状物の下端部を、把持部１８における二重対向部分の奥側に押し当てて滑り込ませることで差し込み易くなる。  
【００２３】
図５はクリップの他の使用状態の説明図、図６は倉庫内での同クリップの使用状態の説明図である。これらの図において、図１〜図３に示した部分と共通する部分には同一符号を付して重複説明を省略する。
図５に示すように、クリップの把持部１８に、一定大きさで、透明あるいは半透明のホルダ２６を嵌入しておき、このホルダ２６を介してシート状物２５をクリップ１６に保持するようにする。ホルダ２６としては、平面長方形の２枚のプラスチックシートを重ね合せ隣接する２辺を綴じたものがよい。図示のように、空いている２辺からシート状物２５を差し込む。プラスチックシートを二重に折り畳みかつ折り畳み辺に隣接する辺を接着してなる市販のプラスチックホルダを用いてもよい。
【００２４】
このような一定大きさのホルダ２６を介してシート状物２５を把持する。図６に示すように、倉庫２７の棚２８に多数配置されたパレット１２にそれぞれ対応するシート状物２５の大きさが不揃いであっても、各シート状物が、各クリップ１６に整然と並べられた、一定大きさのホルダ２６内に収納されるので、倉庫の棚２８の全体の美観を損ねないという効果が得られる。また、ホルダ２６が透明あるいは半透明であると、シート状物２５の有無を外から直ぐ判別できる。なお、符号３０は、パレット１２上に載置された荷物を示している。
【００２５】
図６に示すように、クリップ１６を、パレット１２の、フォーク差込口１４がある側面に設けた場合には、パレット１２をフォークリフトを使って棚２８に収納したとき、クリップ１６を配設した側の側面がフォークリフトの正面に位置することになり、フォークリフト側からシート状物が自動的に見易くなる。
【実施例２】
【００２６】
図７は実施例２のクリップを示す斜視図、図８は同クリップの使用状態を示す断面図である。これらの図において、図１に示した部分と共通する部分には同一符号を付して重複説明を省略する。
本考案のクリップは、図７に示すように、一対の把持部１８と支持部２０とを横一文字の単純な形状としてもよい。一対の把持部１８の各中間部に、釘等の固定具３２（図８）を挿入する挿入孔２４Ａ、２４Ｂがそれぞれ設けられている。
【００２７】
これらの挿入孔２４Ａ、２４Ｂは、図８に示すように、把持部１８における二重対向部分にそれぞれ対向して設けられるが、把持部１８を正面からみて、手前側の挿入孔２４Ａは固定具３２の頭部外径より大きい口径とされて、固定具３２を通過させる役目がある。奥側の挿入孔２４Ｂは固定具３２の頭部の最大外径部分を没入させる皿型とされ、固定具３２を係止すると共に、把持部内に固定具３２の一部が突出しないようにする。こうすれば、情報を表示したシート状物を開口２２から把持部１８に差し込んだときに、同シート状物が固定具３２に引っかかることがない。
【００２８】
以上、本考案によれば、荷物情報を表示したシート状物をクリップに差し込んでおくだけで、機材設備や電気的あるいは人的なメンテナンスが必要なく、適時必要な荷物３０情報を簡単かつ安価に取得できる。
【図面の簡単な説明】
【００２９】
【図１】実施例１のクリップを示す斜視図である。
【図２】同クリップの使用状態を示す斜視図である。
【図３】同クリップの使用説明図である。
【図４】同クリップの把持部の説明図である。
【図５】同クリップの他の使用状態の説明図である。
【図６】倉庫内での同クリップの使用状態の説明図である。
【図７】実施例２のクリップを示す斜視図である。
【図８】同実施例のクリップの使用状態を示す断面図である。
【符号の説明】
【００３０】
１２  パレット
１４  フォーク差込口
１６  クリップ
１８  把持部
２０  支持部
２２  開口
２４  挿入孔
２５  シート状物
２６  ホルダ
２７  倉庫
２８  棚
３０  荷物
３２  固定具
【図１】
0003122741.tif 000003
【図２】
0003122741.tif 000004
【図３】
0003122741.tif 000005
【図４】
0003122741.tif 000006
【図５】
0003122741.tif 000007
【図６】
0003122741.tif 000008
【図７】
0003122741.tif 000009
【図８】
0003122741.tif 000010